(57)【要約】【課題】電気機器収納用箱内の水を外部に排水しやすい水抜き部材とすること。【解決手段】電気機器収納用箱の水抜き穴に嵌められる水抜き部材５であって、複数の突起部５９から外方に突出して水抜き穴の周縁に係止される係止片５８と、突起部５９同士を結ぶ内方に凹んだ空間により構成された排水空間部３と、を備えた構成とする。【選択図】図５
2019009374.tif 000002
【特許請求の範囲】
【請求項１】
電気機器収納用箱の水抜き穴に嵌められる水抜き部材であって、複数の突起部から外方に突出して水抜き穴の周縁に係止される係止片と、突起部同士を結ぶ内方に凹んだ空間により構成された排水空間部と、を備えた水抜き部材。
【請求項２】
突起部間を接続する排水補強リブを備え、前記排水補強リブ及び突起部が前記排水空間部を形作る請求項１に記載の水抜き部材。
【請求項３】
突起部の外側に位置する外壁部を備え、突起部から外壁部方向に延びる分岐部を突起部又は外壁部に一体に形成した請求項１又は２に記載の水抜き部材。
【請求項４】
排水空間部と排水孔との間に壁部を備え、壁部の端部間に分岐部を備えた請求項３に記載の水抜き部材。
【請求項５】
排水空間部を通過した水を電気機器収納用箱の外部に排出する排水孔を備え、排水空間部の下端を、排水孔を設けた面よりも高く位置させる段部を設けた請求項１乃至４の何れかに記載の水抜き部材。
【発明の詳細な説明】
【技術分野】
【０００１】
本発明は、電気機器収納用箱に取り付けられる水抜き部材に関するものである。
【背景技術】
【０００２】
特許文献１に記載されているように、電気機器収納用箱の水抜き穴に水抜き部材を嵌め込むことが知られている。水抜き部材は電気機器収納用箱内の水を排水する機能と、外部から水が侵入しないようにする機能の双方を発揮させることを目的に水抜き穴に取り付けられる。
【先行技術文献】
【特許文献】
【０００３】
【特許文献１】特開２０１１−２３８６７６号公報
【０００４】
ところで、水抜き部材は電気機器収納用箱に係止するための係止片を備えている。電気機器収納用箱内の水の外部への排出は、この係止片を部分的に切り欠くように設けたスリットを通じて行われる。しかしながら、このスリットの間隔が狭くなると、水の表面張力により排水が阻害される虞があった。
【発明の概要】
【発明が解決しようとする課題】
【０００５】
本件の発明者は、この点について鋭意検討することにより、解決を試みた。本発明の課題は、電気機器収納用箱内の水を外部に排水しやすい水抜き部材とすることである。
【課題を解決するための手段】
【０００６】
上記課題を解決するため、電気機器収納用箱の水抜き穴に嵌められる水抜き部材であって、複数の突起部から外方に突出して水抜き穴の周縁に係止される係止片と、突起部同士を結ぶ内方に凹んだ空間により構成された排水空間部と、を備えた水抜き部材とする。
【０００７】
また、突起部間を接続する排水補強リブを備え、前記排水補強リブ及び突起部が前記排水空間部を形作る構成とすることが好ましい。
【０００８】
また、突起部の外側に位置する外壁部を備え、突起部から外壁部方向に延びる分岐部を突起部又は外壁部に一体に形成した構成とすることが好ましい。
【０００９】
また、排水空間部と排水孔との間に壁部を備え、壁部の端部間に分岐部を備えた構成とすることが好ましい。
【００１０】
また、排水空間部を通過した水を電気機器収納用箱の外部に排出する排水孔を備え、排水空間部の下端を、排水孔を設けた面よりも高く位置させる段部を設けた構成とすることが好ましい。
【発明の効果】
【００１１】
本発明では、電気機器収納用箱内の水を外部に排水しやすい水抜き部材とすることが可能となる。
【図面の簡単な説明】
【００１２】
【図１】実施形態における水抜き部材が取り付けられた電気機器収納用箱を下方から見た斜視図である。
【図２】実施形態における水抜き部材が取り付けられた電気機器収納用箱を上方から見た斜視図である。ただし、扉は省略している。
【図３】図２のＩＩＩ領域の部分拡大図である。
【図４】図３のＩＶ−ＩＶ矢視図である。
【図５】実施形態における水抜き部材を上方から見た斜視図である。
【図６】実施形態における水抜き部材の平面図である。
【図７】実施形態における水抜き部材の縦断面図である。
【図８】実施形態における水抜き部材を下方から見た斜視図である。
【発明を実施するための形態】
【００１３】
以下に発明を実施するための形態を示す。図１乃至図４に示されていることから理解されるように、本実施形態の水抜き部材５は、電気機器収納用箱１の水抜き穴１２に嵌められるものである。この水抜き部材５は、対向して設けられる複数の突起部５９から外方に突出して水抜き穴１２の周縁に係止される係止片５８を備えている。また、一対の突起部５９同士を結ぶ内方に凹んだ空間により構成された排水空間部３を備えている。このため、電気機器収納用箱１内の水を外部に排水しやすい水抜き部材５とすることが可能となる。
【００１４】
本実施形態の電気機器収納用箱１は、開口を備えた筐体本体１８と、この開口を塞ぐ扉１９とで構成されている。この電気機器収納用箱１には、結露などにより筐体本体１８内に溜まった水を排水するための水抜き穴１２が底面１１の隅に設けられている。この水抜き穴１２に水抜き部材５を嵌めることで、電気機器収納用箱１の内部の水を排水可能にしつつ、外部から水が侵入することが抑制される。なお、本実施形態の水抜き部材５はゴム製であるため、電気機器収納用箱１との密着性が良く、防水性能を向上させることができる。このような水抜き部材５の材質は特に限定するものではなくプラスチック製のものであっても良い。
【００１５】
本実施形態の水抜き部材５は、電気機器収納用箱１内に入り込んだ水を、排水空間部３を通じて水抜き部材５内に導入可能な構成となっている。図３に示されていることから理解されるように、本実施形態における排水空間部３は上下方向に延びるように形成されている。したがって、排水空間部３に沿って水が垂直方向に移動可能となっている。また、排水孔５２は上下方向に延びる貫通孔として形成されている。したがって、排水孔５２に沿って水が垂直方向に移動可能となっている。この排水孔５２を通じて、水抜き部材５の内部の水が外部に排水される。
【００１６】
排水空間部３と排水孔５２とのあいだは流路５３で接続されている。図６に示すように、本実施形態における流路５３は排水空間部３と排水孔５２に亘って水抜き部材５の周縁に沿って形成されている。筐体本体１８から排水空間部３に移動した水は、その後、この流路５３に沿って水平方向に移動する。このような構成とすることで、排水空間部３と排水孔５２との間の経路を長めに形成することを可能としている。なお、実施形態における流路５３は、水抜き部材５の周縁に沿って平面視で概略円弧形状に形成されている。
【００１７】
本実施形態では、突起部５９間が補強リブ７により接続されている。本実施形態では、補強リブ７の排水補強リブ７ａ、７ｂは、排水空間部３を構成するためにも用いられている。突起部５９間を接続する排水補強リブ７ａ、７ｂで排水空間部３を形作っているため、排水しやすくするために突起部５９間を大きくしても電気機器収納用箱１への係止片５８の保持力を保つことができる。また、本実施形態の排水補強リブ７ａ、７ｂは、係止片５８よりも高い位置まで延びるように設けられている。このため、排水空間部３を大きくすることが可能となり、筐体内の水の排水を速やかに行うことが可能となる。
【００１８】
本実施形態の補強リブ７は、平面視円形状の円形リブ７１と、円形リブ７１から径方向外側に向けて延びる突出リブ７２を備えている。突出リブ７２は複数設けられており、突起部５９に接続されている。このような構成とすることにより、強度を高めることができる。また、排水補強リブ７ａは突出リブ７２の一部であり、排水補強リブ７ｂは円形リブ７１の一部を形成するものである。
【００１９】
図１に示すように、水抜き部材５は底部を形成する基部５７が略円形状の面を形成するように構成されている。また、図３及び図４に示すことから理解されるように、基部５７は水抜き穴１２を覆うことが可能な大きさで形成されている。図７に示すように、水抜き部材５は基部５７から上方に延びる突起部５９が備えられている。この突起部５９を弾性変形させながら水抜き穴１２に挿入して係止片５８を係止させることで、水抜き部材５が電気機器収納用箱１の底面１１に固定される。水抜き部材５が電気機器収納用箱１に嵌合されている状態においては、下から見ると基部５７が水抜き穴１２を覆い隠すように配置されることとなる。
【００２０】
本実施形態においては水抜き部材５の突起部５９は弾性変形可能に平面視略円弧状に形成されている。この突起部５９は、外方に向けて突出する係止片５８を備えている。この係止片５８は、水抜き部材５を取り付ける際、底面１１の下側から上側に移動する部位であり、係止片５８が底面１１に引っかかり、水抜き部材５が下方に抜け落ちることを抑制している。なお、図５に示すことから理解されるように、本実施形態の係止片５８は、排水空間部３が形成される部位においては形成されないように構成されている。
【００２１】
図５及び図６に示すことから理解されるように、本実施形態においては排水空間部３と排水孔５２との間に壁部５４を設けている。また、図７に示すことから理解されるように、この壁部５４は基部５７から上方に向けて延びるように構成されており、水が通る流路５３の構成要素となっている。この壁部５４は、電気機器収納用箱１の底面１１と当接することが可能なように構成されており、壁部５４が電気機器収納用箱１の底面１１と当接した際には、水が壁部５４の上側を乗り越えることを防ぐことが可能となる。
【００２２】
基部５７の外周部には基部５７から上方に向けて伸びる外壁部５６が形成されており、筐体本体１８の底面１１に当接可能な構成となっている。外壁部５６は壁部５４よりも外側に位置しているため、上下方向に貫通した排水孔５２以外から流路５３へ水が浸入することが防止される。
【００２３】
図５乃至図７に示すことから理解されるように、壁部５４は外壁部５６と係止片５８との間の空間の一部を分断するように配置されており、排水孔５２から侵入した水を分流することを可能としている。このため、排水空間部３に到着し難い構造とすることが可能となる。
【００２４】
本実施形態においては、壁部５４の端部間に、水が移動可能な隙間部５５が形成されている。このようにすることで排水孔５２から排水空間部３までの経路の一部を概略クランク状に屈曲形成させている。排水孔５２より水抜き部材５内に侵入した水は排水空間部３に至るまでに隙間部５５を通る経路を通過する必要がある。このため、筐体本体１８内への水の侵入を抑制することが可能となる。なお、図６に示すように、本実施形態においては、概略円を形成するように、平面視で円弧状に形成された４つの壁部５４が同一円上に位置することで４つの隙間部５５が形成されている。
【００２５】
また、本実施形態では、係止片５８を備えた突起部５９である内壁部６６から、内壁部６６の外側に位置する外壁部５６方向に延びる分岐部６４を基部５７と一体に備えている。分岐部６４を設けて水の経路を分岐すると、排水孔５２から侵入した水が排水空間部３に到着することを抑制できる。
【００２６】
ところで、水抜き部材５を嵌め込んだ際、水抜き部材５が変形する場合がある。しかし本実施形態では分岐部６４と内壁部６６及び基部５７が一体に形成されているため、水抜き部材５が変形しても元に戻る力が働きやすくなる。また、水抜き部材５を水抜き穴１２に圧入する際、分岐部６４が電気機器収納用箱１に当接するため、過度の変形を抑制することもできる。なお、分岐部６４は外壁部５６に一体に形成することもできる。この場合も、分岐部６４が水抜き部材５の変形を抑制することができる。ただし、補強リブ７が接続される突起部５９である内壁部６６の方が強度が高いため、分岐部６４は突起部５９である内壁部６６と一体に形成することが好ましい。
【００２７】
本実施形態では、壁部５４の端部間に分岐部６４を備えた構成としている。このため、外部から排水孔５２を通じて浸入する水を排水空間部３に到達しにくいようにすることができる。
【００２８】
本実施形態においては、二つの突起部５９を設けており、二つの排水空間部３を備えた構造である。このようにすれば排水空間部３に使用される部位を抑制することができるため、係止片５８として利用できる部位を確保することができる。このため、係止片５８による係止強度が低下することを抑制することができる。
【００２９】
また、本実施形態では二つの排水孔５２が形成されている。より詳しくは、二つの排水空間部３を結んだ線と二つの排水孔５２を結んだ線が平面視において直交する関係となるように排水空間部３と排水孔５２が形成されている。したがって、排水孔５２から排水空間部３への経路が長くなり、排水孔５２から電気機器収納用箱１内に水が入り込むことを抑制できる。なお、図６では、排水孔５２同士を結んだ線及び排水空間部３同士を結んだ線を破線で示している。
【００３０】
排水孔５２と排水空間部３はともに、壁部５４と隣り合うように設けられている。また、壁部５４の端部間となる隙間部５５は、排水空間部３と排水孔５２の間に位置するように設けられている。より詳しくは、二つの排水空間部３を結んだ線と二つの排水孔５２を結んだ線が平面視において交わる交点を考えた際、前記交点と排水空間部３を結んだ線と、該交点と隙間部５５を結んだ線がなす角度は概略４５度となる。また同様に、前記交点と排水孔５２を結んだ線と、該交点と隙間部５５を結んだ線がなす角度は概略４５度となるように形成している。また、図６に示すように、平面視において、対称となるように形成されている。このような構成とすることにより、各排水孔５２から各排水空間部３への最短経路がすべて同様な長さとなるようにしている。
【００３１】
また、図７に示すことから理解されるように、実施形態では、排水空間部３を通過した水を電気機器収納用箱１の外部に排出する排水孔５２を設けた面よりも排水空間部３の下端が排水孔５２を設けた面よりも高く位置するように、段部６８を設けている。したがって、排水溝から侵入した水が排水空間部３に到達することが抑制される。
【００３２】
図８は実施形態における水抜き部材５を下側から見た図である。図８から理解されるように、本実施形態においては、平面視円弧状の流路５３にあわせて、円弧状の排水孔５２としている。この排水孔５２が基部５７の中心点を挟んで対向するように配置されている。なお基部５７の下面には、排水孔５２以外には、水抜き部材５内に水が浸入可能な部位は形成されていない。
【００３３】
以上、一つの実施形態について説明してきたが、本発明は上記実施形態に限定されることはなく、各種の態様とすることが可能である。例えば、排水空間部は二つでなくともよく、一つ又は三つ以上とすることも可能である。
【００３４】
隙間部は四つとする必要性はなく、平面視概略Ｃ状の壁部を一つ設けることにより隙間部を一つ形成する形態とすることも可能である。また、壁部を四つ以外の複数とすることで、適宜の数の隙間部を形成することも可能である。
【００３５】
壁部を設けない構成とすることも可能である。また、壁部の高さが筐体本体の底面に当接しない構成とすることも可能である。同様に、外壁部が筐体本体の底面に当接しない構成とすることも可能である。
【００３６】
排水孔は上下方向に貫通する孔としなくてもよい。例えば、排水孔を左右方向に貫通する孔などにすることも可能である。また、基部や係止部の外形は適宜変更可能である。
【００３７】
補強リブは、中央部に平面視円形状の部位を備えた構成としなくても良い。例えば、多角形状の部位を備えた構成とし、その部位から突出リブを係止片に向けて延ばす構成としても良い。
【符号の説明】
【００３８】
１    電気機器収納用箱
３    排水空間部
５    水抜き部材
７ａ  排水補強リブ
７ｂ  排水補強リブ
１２  水抜き穴
５２  排水孔
５４  壁部
５６  外壁部
５８  係止片
５９  突起部
６４  分岐部
６８  段部
【図１】
2019009374.tif 000003
【図２】
2019009374.tif 000004
【図３】
2019009374.tif 000005
【図４】
2019009374.tif 000006
【図５】
2019009374.tif 000007
【図６】
2019009374.tif 000008
【図７】
2019009374.tif 000009
【図８】
2019009374.tif 000010